(57)【要約】【課題】キャプチャーした画面をより見やすくかつ容易に提示することを目的とする。【解決手段】ノートＰＣ１は、第１筐体２と第２筐体３とを備え、第１筐体２に対して第２筐体３が開閉可能に連結された構成とされている。ノートＰＣ１は、第２筐体３に設けられたメインディスプレイ８と、第１筐体２において第２筐体３の端部側に沿って設けられたサブディスプレイ１０と、メインディスプレイ８の表示画面において指定された範囲の画面をキャプチャーするキャプチャー部と、キャプチャーされたキャプチャー画面をサブディスプレイ１０に表示させる表示制御部とを具備する。【選択図】図５
2020140474.tif 000002
【特許請求の範囲】
【請求項１】
第１筐体と第２筐体とを備え、前記第１筐体に対して前記第２筐体が開閉可能に連結された情報処理装置であって、
前記第２筐体に設けられたメインディスプレイと、
前記第１筐体において前記第２筐体の端部側に沿って設けられたサブディスプレイと、
前記メインディスプレイの表示画面において指定された範囲の画面をキャプチャーするキャプチャー部と、
キャプチャーされたキャプチャー画面を前記サブディスプレイに表示させる表示制御部と
を具備する情報処理装置。
【請求項２】
前記表示制御部は、複数のキャプチャー画面がある場合に、複数の前記キャプチャー画面が重ならないように並べて表示させる請求項１に記載の情報処理装置。
【請求項３】
前記表示制御部は、前記キャプチャー画面を所定の比率で縮小して前記サブディスプレイに表示させる請求項１または２に記載の情報処理装置。
【請求項４】
全体表示のための所定の指令が入力された場合に、前記表示制御部は、前記サブディスプレイに表示されている全ての前記キャプチャー画面を前記メインディスプレイに表示させる請求項１から３のいずれかに記載の情報処理装置。
【請求項５】
前記表示制御部は、前記全体表示を指示する所定のキーが操作されている期間において、前記サブディスプレイに表示されている全ての前記キャプチャー画面を前記メインディスプレイに表示させる請求項４に記載の情報処理装置。
【請求項６】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置の制御方法であって、
前記メインディスプレイの表示画面において指定された範囲の画面をキャプチャーする工程と、
キャプチャーしたキャプチャー画面を前記サブディスプレイに表示させる工程と
をコンピュータが実行する情報処理装置の制御方法。
【請求項７】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置に提供されるプログラムであって、
前記メインディスプレイの表示画面において指定された範囲の画面をキャプチャーする処理と、
キャプチャーしたキャプチャー画面を前記サブディスプレイに表示させる処理と
をコンピュータが実行するためのプログラム。
【発明の詳細な説明】
【技術分野】
【０００１】
本発明は、情報処理装置及びその制御方法並びにプログラムに関するものである。
【背景技術】
【０００２】
従来、デスクトップ型ＰＣやノート型ＰＣ等の情報処理装置で使用される機能の一つとして、マウス等のポインティングデバイスで指定された表示画面上の指定領域をスクリーンショットとして切り取って保存するキャプチャー機能が知られている。
【０００３】
従来、キャプチャーされた画面（以下「キャプチャー画面」という。）を表示させるためには、画像編集アプリケーションや文書作成アプリケーションを新たに起動させ、キャプチャーした画面を張り付けることで表示画面に表示させる必要がある。
【発明の概要】
【発明が解決しようとする課題】
【０００４】
キャプチャー画面は、そのキャプチャー画面を切り取った元の画面が表示されている表示画面上に重畳して表示されるため、画面が見にくくなってしまうおそれがある。
また、複数のキャプチャー画面を比較したい場合には、キャプチャー画面を重複しないように並べて表示させることが好ましいが、従来は、ユーザ自らがキャプチャー画面のサイズや配置を制御しなければならず、負担が大きかった。
【０００５】
本発明は、このような事情に鑑みてなされたものであって、キャプチャーした画面をより見やすくかつ容易に提示することのできる情報処理装置及びその制御方法並びにプログラムを提供することを目的とする。
【課題を解決するための手段】
【０００６】
本発明の第一態様は、第１筐体と第２筐体とを備え、前記第１筐体に対して前記第２筐体が開閉可能に連結された情報処理装置であって、前記第２筐体に設けられたメインディスプレイと、前記第１筐体において前記第２筐体の端部側に沿って設けられたサブディスプレイと、前記メインディスプレイの表示画面において指定された範囲の画面をキャプチャーするキャプチャー部と、キャプチャーした画面を前記サブディスプレイに表示させる表示制御部とを具備する情報処理装置である。
【０００７】
本発明の第二態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置の制御方法であって、前記メインディスプレイの表示画面において指定された範囲の画面をキャプチャーする工程と、キャプチャーした画面を前記サブディスプレイに表示させる工程とをコンピュータが実行する情報処理装置の制御方法である。
【０００８】
本発明の第三態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置に提供されるプログラムであって、前記メインディスプレイの表示画面において指定された範囲の画面をキャプチャーする処理と、キャプチャーした画面を前記サブディスプレイに表示させる処理とをコンピュータが実行するためのプログラムである。
【発明の効果】
【０００９】
本発明によれば、キャプチャーした画面をより見やすくかつ容易に提示することができるという効果を奏する。
【図面の簡単な説明】
【００１０】
【図１】本発明の一実施形態に係るノートＰＣの概略外観図である。
【図２】本発明の一実施形態に係るノートＰＣのハードウェア構成を概略的に示した図である。
【図３】本発明の一実施形態に係るノートＰＣが備える機能の一部を模式的に示した機能構成図である。
【図４】本発明の一実施形態に係るノートＰＣにおけるメインディスプレイの一表示例を示した図である。
【図５】本発明の一実施形態に係るノートＰＣにおいて、メインディスプレイにおいて一部の領域がキャプチャー範囲として指定された場合におけるサブディスプレイの一表示例を示した図である。
【図６】本発明の一実施形態に係るノートＰＣにおいて、複数のキャプチャー画面が重ならずに表示されている場合のサブディスプレイの一表示例を示した図である。
【図７】本発明の一実施形態に係るノートＰＣにおいて、複数のキャプチャー画面が重ねて表示されている場合のサブディスプレイの一表示例を示した図である。
【図８】本発明の一実施形態に係るノートＰＣにおいて、全体表示のための入力指令が入力された場合におけるメインディスプレイの一表示例を示した図である。
【図９】ノートＰＣによって実行されるキャプチャーに関する処理の手順の一例を示したフローチャートである。
【発明を実施するための形態】
【００１１】
以下に、本発明の一実施形態に係る情報処理装置及びその制御方法並びにプログラムについて、図面を参照して説明する。以下の実施形態においては、情報処理装置としてノートＰＣを例示して説明する。
【００１２】
図１は、本発明の一実施形態に係るノートＰＣ１の概略外観図である。図１に示すように、ノートＰＣ１は、いずれも略直方体である第１筐体２及び第２筐体３を備える、いわゆるクラムシェル型のパーソナルコンピュータである。第１筐体２及び第２筐体３は、例えば、それぞれの端部またはその近傍において連結部９ａによって連結されている。連結部９ａは、例えば、ヒンジであり、第１筐体２及び第２筐体３を開閉可能に支持している。
【００１３】
第１筐体２には、第２筐体３の端部側に沿ってサブディスプレイ１０が設けられている。サブディスプレイ１０は、例えば、連結部９ｂによって第１筐体２に連結されている。連結部９ｂは、例えば、ヒンジである。サブディスプレイ１０は、閉じた状態で第１筐体２の上面に設けられた収容部１１に収容可能とされ、開いた状態で収容部１１の収容面とサブディスプレイ１０の裏面（表示画面が設けられていない方の面）とのなす角度θが、例えば、２°≦θ２≦４０°の範囲となるように構成されている。
【００１４】
サブディスプレイ１０は、例えば、第１筐体２に対して第２筐体３が開いているときに、第１筐体２に対して開くように構成されている。サブディスプレイ１０は、手動で連結部９ｂ回りに回動するように構成されていてもよい。この場合、連結部９ｂとしては、所定の角度でサブディスプレイ１０を保持できるトルクヒンジなどを好適に用いることができる。また、バネなどの付勢部材を用いてサブディスプレイ１０を上方付勢状態としてもよい。この場合、第２筐体３が閉じられるときに、第２筐体３がサブディスプレイ１０を下方に押圧して収容部１１に収容させることができ、第２筐体３が開かれたときに、第２筐体３に連動して、自動的にサブディスプレイ１０を立ち上げることができる。
【００１５】
第１筐体２には、入力装置４が設けられている。入力装置４は、ユーザが入力操作を行うためのユーザインターフェースである。図１には、入力装置４の一例として、文字、コマンド等を入力する各種キーより構成されるキーボード５及びタッチパッド６が示されている。また、入力装置４は、ポインティングデバイスとして、マウス、トラックポイント、タッチペン等を備えていてもよい。
【００１６】
キーボード５は、第１筐体２の上面において、サブディスプレイ１０を介して第２筐体３とは反対側に設けられている。例えば、キーボード５は、第１筐体２の上面においてほぼ中央部に設けられている。キーボード５は、ソフトウェアキーボードでもよいし、物理キーで構成されていてもよい。
【００１７】
タッチパッド６は、例えば、第１筐体２の上面においてキーボード５の右側に設けられている。
【００１８】
第２筐体３には、画像を表示するメインディスプレイ８が設けられている。メインディスプレイ８は、第２筐体３が第１筐体２に対して閉じられた状態で、サブディスプレイ１０と対向する面上に配置されている。
【００１９】
図２は、本実施形態に係るノートＰＣ１のハードウェア構成を概略的に示した図である。ノートＰＣ１は、ＣＰＵ（Central  Processing  Unit）２０、ＲＯＭ（Read  Only  Memory）２１、メモリ２２、フラッシュメモリ２３、グラフィクスアダプタ２４、メインディスプレイ８、サブディスプレイ１０、通信デバイス２５、電源回路２６、入力装置４を備えている。これら各部は、バス２８を介して接続されている。
【００２０】
ＣＰＵ２０は、バス２８を介して接続されたフラッシュメモリ２３に格納されたＯＳ（Operating  System）によりノートＰＣ１全体の制御を行うとともに、フラッシュメモリ２３に格納された各種のプログラムに基づいて処理を実行する。
【００２１】
ＲＯＭ２１は、ＢＩＯＳ（Basic  Input/Output  System：基本入出力システム）や各種データ等を格納している。
メモリ２２は、キャッシュメモリやＲＡＭ（Random  Access  Memory）で構成されている。メモリ２２は、ＣＰＵ２０の実行プログラムの読み込み、及び実行プログラムによる処理データの書き込みを行う作業領域として利用される書き込み可能なメモリである。
【００２２】
フラッシュメモリ２３は、ノートＰＣ１の全体の制御を行うためのマルチウィンドウのＯＳ、周辺機器類をハードウェア操作するための各種ドライバ、ユーティリティプログラム、各種アプリケーションプログラム等を記憶する。なお、ノートＰＣ１は、フラッシュメモリ２３に替わる記憶手段としてＨＤＤ（Hard  Disk  Drive）等、他の記憶手段を備えてもよい。
【００２３】
グラフィクスアダプタ２４は、ＣＰＵ２０の制御に従って、表示情報をビデオ信号に変換し、変換したビデオ信号をメインディスプレイ８やサブディスプレイ１０に出力する。
【００２４】
メインディスプレイ８は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、メインディスプレイ８は、タッチセンサ等の入力検知機能を備えたタッチパネルとして構成されていてもよい。
【００２５】
サブディスプレイ１０は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、サブディスプレイ１０は、タッチセンサ等の入力検知機能を備えたタッチパネルとして構成されていてもよい。さらに、サブディスプレイ１０は、タッチペンによる入力を受け付け可能な構成とされていてもよい。
【００２６】
通信デバイス２５は、他のデバイスとの間との通信を行う。
電源回路２６は、ＡＣアダプタ、電池、電池を充電するための充電器、及びＤＣ／ＤＣコンバータ等を備えており、ＣＰＵ２０の制御に従って、各構成に電力を供給する。
入力装置４を構成するキーボード５やタッチパッド６におけるユーザの入力操作に応じた入力信号は、バス２８を介してＣＰＵ２０に出力される。
図２に示したノートＰＣ１の構成や接続例は一例であり、この例に限定されない。
【００２７】
図３は、本実施形態に係るノートＰＣ１が備える機能の一部を模式的に示した機能構成図である。以下に説明する各種機能を実現するための処理は、プログラムの形式でコンピュータ読み取り可能な記録媒体に記憶されており、このプログラムをＣＰＵ２０等がＲＡＭに読み出して実行することにより、各種機能が実現される。なお、プログラムは、ＲＯＭやフラッシュメモリ２３等の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２８】
図３に示すように、本実施形態に係るノートＰＣ１は、キャプチャー部３１、記憶部３２、表示制御部３３を備えている。
【００２９】
キャプチャー部３１は、例えば、メインディスプレイ８において、マウス等のポインティングデバイスで一部の領域または全領域が指定された場合に、指定された領域の画面をスクリーンショット画面の画像ファイルとして記憶部３２に保存する。
【００３０】
領域の指定方法は、例えば、メインディスプレイ８上に、サイズ変更及び位置調整可能な矩形を表示し、この矩形のサイズや位置をマウス等のポインティングデバイスを用いてユーザが調整することにより指定するようにしてもよい。また、マウス等のポインティングデバイスでメインディスプレイ８に表示されているマウスポインタを操作し、ドラッグアンドドロップ操作を行うことにより、所望の位置に所望のサイズの矩形を作成し、領域を指定することとしてもよい。また、Ｆｎキー等のファンクションキーを押しながらマウスを動かすことによって領域を指定することとしてもよい。なお、キャプチャーしたい領域の指定方法については上記例に限定されず、種々の公知の手法を採用することが可能である。
【００３１】
記憶部３２は、キャプチャー部３１によってキャプチャーされたスクリーンショット画面であるキャプチャー画面の画像ファイルを格納する。
【００３２】
表示制御部３３は、キャプチャー部３１によってキャプチャーされたキャプチャー画面をサブディスプレイ１０に表示する。表示制御部３３は、キャプチャー画面をサブディスプレイ１０に表示させる場合に、キャプチャー画面を拡大又は縮小した変倍キャプチャー画面を作成し、変倍キャプチャー画面をサブディスプレイ１０に表示させてもよい。変倍キャプチャー画面は、サブディスプレイ１０の表示可能な範囲に収まるように縮小して作成されてもよいし、サブディスプレイ１０の一部のあらかじめ定められた表示枠の中に納まるようにキャプチャー画面を拡大又は縮小して作成されてもよい。
例えば、図４にメインディスプレイ８の一表示例、図５にメインディスプレイ８の表示画面において、一部の領域４０ａがキャプチャー範囲として指定された場合におけるサブディスプレイ１０の一表示例を示す。
このように、サブディスプレイ１０には、メインディスプレイ８において入力装置４がユーザによって操作されることによって指定された領域４０ａのキャプチャー画面５０ａが表示される。キャプチャー画面５０ａは上述のように変倍された変倍キャプチャー画面であってもよい。
【００３３】
表示制御部３３は、例えば、キャプチャー画面が複数存在する場合に、複数のキャプチャー画面が重ならないように並べてサブディスプレイ１０に表示させる。図６は、複数のキャプチャー画面５０ａ、５０ｂ、５０ｃが重ならずに表示されている場合のサブディスプレイ１０の一表示例を示した図である。
【００３４】
表示制御部３３は、複数のキャプチャー画面をサブディスプレイ１０に表示させる場合に、複数のキャプチャー画面が互いに重ならないようにキャプチャー画面を縮小してサブディスプレイ１０に表示させることとしてもよい。また、表示制御部３３は、複数のキャプチャー画面の各々を所定の比率で縮小してサブディスプレイ１０に表示させたとしてもサブディスプレイ１０に全てのキャプチャー画面を表示しきれない場合には、キャプチャー画面を重ねて表示させることとしてもよい。図７は、複数のキャプチャー画面が重ねて表示されている場合のサブディスプレイ１０の一表示例を示した図である。図７において、例えば、古いキャプチャー画面５０ａ、５０ｂ、５０ｃほど後ろに表示され、新しいキャプチャー画面５０ｄ、５０ｅ、５０ｆほど手前に表示されることとしてもよい。
【００３５】
また、表示制御部３３は、全体表示のための所定の指令が入力された場合に、サブディスプレイ１０に表示されているキャプチャー画面をメインディスプレイ８に表示させる。例えば、図７に示したように、サブディスプレイ１０に複数のキャプチャー画面５０ａ〜５０ｆが表示され、また、その一部のキャプチャー画面５０ａ〜５０ｆが重ねて表示されている場合に、全体表示のための所定の指令が入力された場合には、表示制御部３３は、サブディスプレイ１０に表示されている全てのキャプチャー画面５０ａ〜５０ｆをメインディスプレイ８に並べて表示する。このとき、表示制御部３３は、各キャプチャー画面を縮小することなく、キャプチャーされたときの大きさで、メインディスプレイ８に表示することが好ましいが、メインディスプレイ８のサイズの制約により、キャプチャー画面の一部に重なりが生じてしまう場合には、各キャプチャー画面５０ａ〜５０ｆが互いに重ならないように、全てまたは一部の各キャプチャー画面を縮小して表示させてもよい。
【００３６】
全体表示のための所定の指令は、例えば、キーボード５に設けられた所定のキーを操作することによって入力されるものとしてもよい。所定のキーは適宜設定することが可能であり、また、複数のキーの組み合わせであってもよい。例えば、一例として、Ｆｎキーが挙げられる。全体表示のための所定の指令は、サブディスプレイ１０に表示されたキャプチャー画面５０ａ等のタップやスワイプ操作でもよい。また、表示制御部３３は、所定のキーが操作（押下）されている期間に限って、サブディスプレイ１０に表示されている全てのキャプチャー画面をメインディスプレイ８に表示させることとしてもよい。サブディスプレイ１０に表示された複数のキャプチャー画面のうちの選択されたものだけをメインディスプレイ８に表示させるようにしてもよい。
【００３７】
また、サブディスプレイ１０及びメインディスプレイ８に表示されているキャプチャー画面の配置やサイズは変更可能とされていてもよい。例えば、表示制御部３３は、マウスなどのポインティングデバイスからの入力に従ってキャプチャー画面の配置やサイズを変更する。例えば、サブディスプレイ１０に表示されているマウスポインタで所望のキャプチャー画面を選択し、ドラッグアンドドロップ操作を行うことにより、所定の位置にキャプチャー画面を移動させることとしてもよい。
【００３８】
また、表示制御部３３は、サブディスプレイ１０やメインディスプレイ８に複数のキャプチャー画面が重ねて表示されている場合に、一番手前に表示されているキャプチャー画面以外のキャプチャー画面がマウスポインタ等で選択された場合には、選択されたキャプチャー画面を一番手前に表示させるようにしてもよい。
【００３９】
キャプチャー画面のサイズ変更については、キャプチャー画面の端部をマウスによってドラッグアンドドロップすることで行うこととしてもよい。
なお、キャプチャー画面のサイズ変更及び配置変更については上記例に限定されず、種々の方法を採用することが可能である。
【００４０】
次に、本実施形態に係るノートＰＣ１によって実行されるキャプチャーに関する処理について図９を参照して説明する。図９は、ノートＰＣ１によって実行されるキャプチャーに関する処理の手順の一例を示したフローチャートである。以下に説明するキャプチャーに関する処理は、例えば、キャプチャーのアプリケーションの起動指示が入力された場合に開始され、キャプチャーのアプリケーションの終了指示が入力された場合に終了する。なお、アプリケーションの起動、終了の具体的な操作については公知の技術であるので、ここでの説明は省略する。
【００４１】
まず、入力装置４を介して、キャプチャーのアプリケーションが起動されると、メインディスプレイ８に表示されている表示画面の一部または全体がキャプチャー領域として指定され、キャプチャー実行の指示が入力されたか否かを判定する（ＳＡ１）。この結果、キャプチャー実行の指示が入力された場合には（ＳＡ１：ＹＥＳ）、キャプチャー部３１は、キャプチャー領域として指定された領域の画面をスクリーンショットとしてキャプチャーする（ＳＡ２）。これにより、キャプチャー画面が画像ファイルとして記憶部３２に格納される。
【００４２】
続いて、表示制御部３３は、キャプチャーされた画面であるキャプチャー画面をサブディスプレイ１０に表示させる（ＳＡ３）。このとき、変倍キャプチャー画面を作成してサブディスプレイ１０に表示させるようにしてもよい。これにより、例えば、図５に示すように、キャプチャー画面がサブディスプレイ１０に表示される。
【００４３】
続いて、全体表示指示が入力されたか否かを判定する（ＳＡ４）。この結果、全体表示指示が入力されていない場合には（ＳＡ４：ＮＯ）、当該アプリケーションの終了指示が入力されたか否かを判定する（ＳＡ８）。この結果、アプリケーションの終了指示が入力されていない場合には（ＳＡ８：ＮＯ）、ステップＳＡ１に戻る。
【００４４】
そして、上記キャプチャー領域の指定とキャプチャー実行の指示が繰り返し行われることにより、ユーザが所望する複数のキャプチャー画面がサブディスプレイ１０に表示されることとなる。このとき、ステップＳＡ３の表示処理において、キャプチャー画面のサイズを縮小しなくても、全てのキャプチャー画面がサブディスプレイ１０に重なりなく表示できる場合には、表示制御部３３は、これら全てのキャプチャー画面をサイズの縮小なく、かつ、互いの重なり部分がないようにサブディスプレイ１０に表示させる。
【００４５】
また、表示制御部３３は、キャプチャー画面に重なりが生じてしまったり、縮小しなければサブディスプレイ１０に表示できない場合には、キャプチャー画面を縮小した変倍キャプチャー画面をサブディスプレイ１０に表示させる。また、表示制御部３３は、各キャプチャー画面を予め設定されている限界縮小率で縮小した場合であっても、キャプチャー画面に重なり部分が生じてしまう場合には、図７に示すように、複数のキャプチャー画面を重ねて表示させる。
なお、これらの表示態様は一例であり、他のルールに従ってキャプチャー画面を表示することとしてもよい。
【００４６】
また、ユーザによって所定のキー（例えば、Ｆｎキー）が操作されることにより、全体表示のための指令が入力された場合には（ＳＡ４：ＹＥＳ）、表示制御部３３は、サブディスプレイ１０に表示されているキャプチャー画面をメインディスプレイ８に表示させる（ＳＡ５）。このとき、サブディスプレイ１０に表示された複数のキャプチャー画面のうち、選択されたものだけをメインディスプレイ８に表示されることとしてもよい。
【００４７】
これにより、例えば、図８に示すように、サブディスプレイ１０に表示されている複数のキャプチャー画面５０ａ〜５０ｆがメインディスプレイ８に表示されることとなる。このとき、表示制御部３３は、各キャプチャー画面を縮小することなくメインディスプレイ８に表示することが好ましいが、メインディスプレイ８のサイズの制約により、キャプチャー画面の一部に重なりが生じてしまう場合には、各キャプチャー画面５０ａ〜５０ｆが互いに重ならないように、全てまたは一部の各キャプチャー画面を縮小して表示させてもよい。また、この場合であっても、ユーザがマウスなどのポインティングデバイスを操作して、キャプチャー画面のサイズや配置を変更可能な構成とされているので、ユーザは自身が見やすいようにメインディスプレイ８におけるキャプチャー画面のサイズや配置を変更することができる。
【００４８】
続いて、全体表示終了の指示が入力されたか否かを判定する（ＳＡ６）。この結果、入力されていない場合には（ＳＡ６：ＮＯ）、ステップＳＡ６を繰り返し行い、入力された場合には（ＳＡ６：ＹＥＳ）、全体表示を終了する（ＳＡ７）。
これにより、メインディスプレイ８への表示は、全体表示終了の指示が入力されるまで維持されることとなる。
上記全体表示終了の指示は、例えば、全体表示を指示するための所定のキーから手を離した場合をトリガとして入力されてもよいし、全体表示を終了するための所定の入力操作、例えば、サブディスプレイ１０に表示されたキャプチャー画面等のタップやスワイプ操作等が行われることにより入力されてもよい。
続いて、ステップＳＡ８において、キャプチャーのアプリケーションの終了指示が入力されたか否かを判定し、入力されていなければ（ＳＡ８：ＮＯ）、ステップＳＡ１に戻り、入力されていた場合には（ＳＡ８：ＹＥＳ）、当該キャプチャー処理を終了する。
【００４９】
以上、説明してきたように、本実施形態に係るノートＰＣ１によれば、メインディスプレイ８において、ユーザによって指定された領域の画面をスクリーンショットとしてキャプチャーし、更にキャプチャーした画面をサブディスプレイ１０に表示させる。このように、キャプチャー画面はメインディスプレイ８ではなくサブディスプレイ１０に表示されるので、キャプチャー画面によってメインディスプレイ８に表示されている表示画面が影響を受けることがない。したがって、例えば、ユーザはメインディスプレイ８を使用して所望の情報を検索できるとともに、興味のある情報をキャプチャー操作することにより、所望の情報をサブディスプレイ１０に表示させることができる。これにより、キャプチャーした画面をより見やすくかつ容易にユーザに提示することができる。
【００５０】
例えば、家電製品の購入を考えている場合、その製品の値段やスペック等を比較して表示させたい場合がある。このような場合に、ユーザは各製品のスペックや値段が記載されているウェブページの該当部分を指定し、キャプチャーを実行させることにより、興味のある製品のスペックや値段等が表示されたキャプチャー画面をサブディスプレイ１０に並べて表示させることができる。これにより、製品の比較などを容易に行うことが可能となる。また、複数のキャプチャー操作を行ったとしても、それらのキャプチャー画面によってメインディスプレイ８の表示領域は影響を受けないため、メインディスプレイ８の全体の表示領域を用いて容易に情報検索を行うことが可能となる。
【００５１】
更に、全体表示を行わせる指令が入力された場合には、全てのキャプチャー画面がメインディスプレイ８に並んで表示される（図８参照）。メインディスプレイ８はサブディスプレイ１０よりもサイズが大きいため、ユーザはより大きな表示画面を用いてキャプチャー画面を確認することが可能となる。これにより、キャプチャー画面を更に見やすい形でユーザに提示することが可能となる。
【００５２】
以上、本発明についての各形態について説明したが、本発明の技術的範囲は上記態様の範囲には限定されない。発明の要旨を逸脱しない範囲で多様な組み合わせ、変更、又は改良を加えることができ、該組み合わせ、変更、又は改良を加えた形態も本発明の技術的範囲に含まれる。
【符号の説明】
【００５３】
１      ：ノートＰＣ
２      ：第１筐体
３      ：第２筐体
４      ：入力装置
５      ：キーボード
６      ：タッチパッド
８      ：メインディスプレイ
９ａ    ：連結部
９ｂ    ：連結部
１０    ：サブディスプレイ
１１    ：収容部
２０    ：ＣＰＵ
２１    ：ＲＯＭ
２２    ：メモリ
２３    ：フラッシュメモリ
２４    ：グラフィクスアダプタ
２５    ：通信デバイス
２６    ：電源回路
２８    ：バス
３１    ：キャプチャー部
３２    ：記憶部
３３    ：表示制御部
【図１】
2020140474.tif 000003
【図２】
2020140474.tif 000004
【図３】
2020140474.tif 000005
【図４】
2020140474.tif 000006
【図５】
2020140474.tif 000007
【図６】
2020140474.tif 000008
【図７】
2020140474.tif 000009
【図８】
2020140474.tif 000010
【図９】
2020140474.tif 000011